(57)【要約】【課題】回転時に冷却ファンに干渉することがなく、モータの回転軸方向におけるダウンサイジングを図る。【解決手段】出力軸７の相対する２つの側面を平行にカットし、カット部２４を横切るようにロックプレート２５を一方向に往復動可能に配置し、ロックプレート２５には、カット部２４を横切る部分に、出力軸７の外径よりも大きい円孔２８と平行カット面の断面と略同じ断面形状の係合溝２９とをロックプレート２５の移動方向に連続形成するとともに、ロックプレート２５の中間部には、移動方向と直交する方向に支持片３１、３２を延出形成し、切断機本体３には、ロックプレート２５の先端部と基部及び両支持片３１、３２の端部を移動可能に支持させた。【選択図】図３
2010201600.tif 000002
【特許請求の範囲】
【請求項１】
電動モータとのこ刃を回転自在に支持した切断機本体の下部に被切断材上に載置される定盤を設け、上記のこ刃の下部を上記定盤に形成した開口部から下方に突出させ、上記電動モータの出力軸の回転を減速機構を介してのこ刃の回転軸に伝達させる携帯用切断機において、
上記出力軸の一部の相対する２つの側面を平行にカットし、このカット部を横切るようにロックプレートを一方向に往復動可能に配置し、ロックプレートには、上記カット部を横切る部分に、出力軸の外径よりも大きい円孔と上記平行カット面の断面と略同じ断面形状の係合溝とをロックプレートの移動方向に連続形成するとともに、ロックプレートの中間部には、上記移動方向と直交する方向に支持片を延出形成し、上記切断機本体には、上記ロックプレートの先端部と基部及び上記両支持片の端部を移動可能に支持させ、
上記ロックプレートを上記係合溝が上記出力軸のカット面に係合する位置に移動させることによって上記出力軸をロックさせる
ことを特徴とする携帯用切断機。
【請求項２】
上記一方の支持片と切断機本体との間には、上記ロックプレートを常時上記円孔が上記カット面に対応する位置に移動するように付勢するバネを設けた
ことを特徴とする、請求項１に記載の携帯用切断機。
【発明の詳細な説明】
【技術分野】
【０００１】
本発明は携帯用切断機に関する。
【背景技術】
【０００２】
一般に、この種の携帯用切断機に設けられたのこ刃は、繰り返し使用することによって摩耗する。また様々なアプリケーション・仕上げ具合によってのこ刃の種類を支えられ、交換できるように構成されている。のこ刃はモータに作動連結される回転軸の先端に２枚のフランジを介し、ナットを締めることにより固定し、ナットを外すことにより取り外しが可能となっている。したがって、交換時にはナットを緩めればよいのであるが、回転軸も同時に回ることを防ぐため、モータの出力軸のロック機構が設けられ、出力軸の回転をロックしてのこ刃の回転軸が回転しないようにしている（特許文献１、２、３参照）。
【０００３】
出力軸のロック機構は、回転軸の相対する２つの側面を平行にカットし、出力軸を横切るようにロックプレートを一方向に往復動可能に配置し、ロックプレートには、出力軸を横切る部分に、出力軸の外径よりも大きい円孔と上記２つの平行面間の断面と略同じ断面形状の係合溝とをロックプレートの移動方向に連続形成し、通常は出力軸のまわりに円孔が位置するようにロックプレートを配置しておく。出力軸と円孔が干渉しないので、出力軸は自由に回転することができる。のこ刃交換時にはロックプレートをボタン等によって外部から押し込んで出力軸のまわりに係合溝が位置するように移動させる。これにより、出力軸が回転しようとしても平行面が係合溝に当るので回転することができない。この状態でナットを回せば出力軸は回転しないので、確実にナットを外してのこ刃を交換することができる。
【先行技術文献】
【特許文献】
【０００４】
【特許文献１】実用新案登録第２６０４１９３号公報
【特許文献２】実開平３−１１３７４９号公報
【特許文献３】実公平１−１１４１１号公報
【発明の概要】
【発明が解決しようとする課題】
【０００５】
ところで、これらの出力軸のロック機構は、ロックプレートが細長に形成され、その先端部と基部の２点で切断機本体に往復動可能に支持されている。また、ロックプレートは出力軸に設けられた冷却ファンに隣接した位置に配置されている。また、従来の携帯用切断機では、モータの振動を抑えるために出力軸はある程度軸方向に移動できるように構成されている。したがって、冷却ファンもその移動に連れて軸方向に移動する。そのため、冷却ファンが回転時にロックプレートに干渉する可能性がある。さらに、ロックプレートの中央部分から長手に直交する方向にバネ受けアームを出し、このバネ受けアームと切断機本体との間にバネを取り付け、このバネによってロックプレートが常時出力軸のまわりに円孔が位置するように付勢しておく構成が採用されているが、切断機本体の振動等によってロックプレートが２つの支持部位をむすぶ線を中心に傾くことがある。傾きは小さくても、その変位はバネ受けアームの先端では増大して大きくなるので、バネ受けアームが冷却ファンにぶつかる可能性がある。このような不都合を防ぐためには、ロックプレートは、冷却ファンと干渉しないことが確保できる程度の余裕間隙をもった位置に配置することが必要である。
【０００６】
しかしながら、ロックプレートと冷却ファンとの間に余裕の間隔を設けると、その分だけモータの回転軸方向に工具が出っ張って切断機がボリュームアップすることになる。
【０００７】
本発明は上記問題点を解消し、ロックプレートを冷却ファンの近接位置に設けても、回転時に冷却ファンに干渉することがなく、モータの回転軸方向におけるダウンサイジングを図ることができる携帯切断機を提供することをその課題とする。
【課題を解決するための手段】
【０００８】
前記課題を解決するため、請求項１に係る発明は、電動モータとのこ刃を回転自在に支持した切断機本体の下部に被切断材上に載置される定盤を設け、上記のこ刃の下部を上記定盤に形成した開口部から下方に突出させ、上記電動モータの出力軸の回転を減速機構を介してのこ刃の回転軸に伝達させる携帯用切断機において、上記出力軸の一部の相対する２つの側面を平行にカットし、このカット部を横切るようにロックプレートを一方向に往復動可能に配置し、ロックプレートには、上記カット部を横切る部分に、出力軸の外径よりも大きい円孔と上記平行カット面の断面と略同じ断面形状の係合溝とをロックプレートの移動方向に連続形成するとともに、ロックプレートの中間部には、上記移動方向と直交する方向に支持片を延出形成し、上記切断機本体には、上記ロックプレートの先端部と基部及び上記両支持片の端部を移動可能に支持させ、上記ロックプレートを上記係合溝が上記出力軸のカット面に係合する位置に移動させることによって上記出力軸をロックさせることを特徴とする。
【０００９】
請求項２に係る発明は、請求項１において、上記一方の支持片と切断機本体との間には、上記ロックプレートを常時上記円孔が上記カット面に対応する位置に移動するように付勢するバネを設けたことを特徴とする。
【発明の効果】
【００１０】
請求項１に係る発明は、電動モータの出力軸の外径よりも大きい円孔と平行カット面の断面と略同じ断面形状の係合溝とをロックプレートの移動方向に連続形成するとともに、ロックプレートの中間部には、上記移動方向と直交する方向に支持片を延出形成し、切断機本体には、上記ロックプレートの先端部と基部及び上記両支持片の端部を移動可能に支持させ、ロックプレートを上記係合溝が上記出力軸のカット面に係合する位置に移動させることによって上記出力軸をロックさせる構成としたから、切断機を繰り返し使用することにより、のこ刃を交換する必要があるときは、まず電動モータの回転を停止し、ロックプレートの操作部を押し込んで出力軸の平行面をロックプレートの係合溝に係合させて出力軸の回転をできないようにロックされる。
【００１１】
また、切断機本体の振動等の際にロックプレートを傾かせるような力を受けても、ロックプレートは先端部と基部と支持片両端部の４点でモータハウジングに安定的に支持されているから、ロックプレートの傾きは確実に阻止され、ロックプレートの一部が冷却ファンにぶつかる可能性はなくなり、常に円滑な回転を確保することができる。したがってまた、ロックプレートを配置するスペースを最小限に抑えることができるから、モータの回転軸方向におけるダウンサイジングを図ることができる。
【００１２】
請求項２に係る発明は、ロックプレートの傾きを防止するための一方の支持片と切断機本体との間には、ロックプレートを常時円孔が出力時のカット面に対応する位置に移動するようにバネ付勢するので、バネ付勢するための部材をわざわざ設ける必要がない。
【図面の簡単な説明】
【００１３】
【図１】本発明に係る携帯用切断機の側面図
【図２】図１のＸ−Ｘ線上の断面図
【図３】図２のＹ−Ｙ線上の断面図
【図４】図２のＺ−Ｚ線上の断面図
【図５】ロックプレートの作動状態を図４と同じ断面で示す断面図
【発明を実施するための形態】
【００１４】
図１及び図２において符号Ａは携帯用切断機を示す。この切断機は、のこ刃１とこののこ刃１を駆動する電動モータ２とを並設した切断機本体３の上部に操作用ハンドル４をのこ刃１の切断方向と平行に、つまり前後方向に配置し、上記ハンドル４の後端の下部に電動モータ駆動用のバッテリパック５を着脱自在に設けるとともに、切断機本体３の下部には被切断材上に載置される定盤６を設けたものである。
【００１５】
電動モータ２の出力軸７には中間軸８の一端に固定した第１減速歯車１０が噛合し、さらに中間軸８の他端に固定した第２減速歯車１１が最終軸９に固定された第３減速歯車１２に噛合し、最終軸９にはのこ刃１が固定されている。これにより、電動モータ２が回転すると、その回転力は第１、第２、第３減速歯車１０、１１、１２を介して最終軸９に伝達され、のこ刃１が回転する。
【００１６】
なお、電動モータ２はモータハウジング１３に内装され、のこ刃１のほとんどは安全確保用のセーフティカバー１４によって覆われている。電動モータ２の出力軸７には電動モータ冷却用のファン１５も取付けられている。また、電動モータの出力軸７の冷却ファン１５側の端部はインナーケース１６の中央部でベアリング１７に回転自在に支持されている。
【００１７】
のこ刃は最終軸９の先端部に配置された内フランジ１８、外フランジ１９に挟まれ、固定ボルト２０を最終軸９の端部に開口したネジ穴２１にねじ込み、最終軸９の唾部に対して上記内フランジ１８、外フランジ１９をきつく締め付けることによって固定されている。
【００１８】
また、定盤６は切断機本体３の下部に設けられた金属製の板状部材で、その一部には開口部２２が貫通形成され、開口部２２の下方にはのこ刃１の一部が露出し、円弧状のロアガード２３によって覆われている。このロアガード２３はのこ刃１の回転軸を中心に後方から上方に回動可能に装着されている。
【００１９】
さらに、操作用ハンドル４は、切断機本体３の上部に配置され、その前部は切断機本体３の前部のややモータハウジング１３側に一体的に設けられ、その後部は屈曲し、屈曲端部は切断機本体３の後面に一体的に設けられている。屈曲部４ａの下部と定盤６との間には、公知の着脱機構を備えたバッテリパック５の装着部が形成され、バッテリパック５は装着部の後方から差し込んで装着し、ロックを解除した後に引き抜いて外すことができるようになっている。
【００２０】
次に、携帯用切断機には、のこ刃１を交換する場合、出力軸７を回転しないようにロックするロック機構が設けられている。
【００２１】
すなわち、出力軸７の冷却ファン１５と出力軸７のベアリング１７との間で相対する２つの側面は、図３に示されるように、平行にカットされている。そして、出力軸７のカット部２４を横切るようにロックプレート２５が配置されている。ロックプレート２５の基部側２５ａと先端部２５ｂとは、モータハウジング１３とインナーケース１６との間に形成されたガイド溝２６、２７に一方向に往復動可能に支持されているとともに、ガイド溝２６、２７を閉じるインナーケース１６によっても支持されている。
【００２２】
ロックプレート２５には、上記カット部２４を横切る部分に、ベアリング７の外径よりも大きい円孔２８と上記平行カット部２４の断面と略同じ断面形状の係合溝２９とがロックプレート２５の移動方向に連続形成されている。ロックプレート２５の基部側２５ａはモータハウジング１３の外側に突出し、外部には作動操作可能な操作部３０が屈曲形成されている。
【００２３】
また、ロックプレート２５の中間部には、その移動方向と直交する方向に支持片３１、３２が延出形成されている。これにより、ロックプレート２５は略十字形に形成されている。そして、一方の支持片３１、３２の端部にはバネ受け片３３が形成され、図３及び図４に示されるように、バネ受け片３３とインナーケース１６のバネ受け部３３ａとの間には、常時ロックプレート２５の円孔２８が上記カット面に対応する位置に移動するように付勢するバネ３４が配置されている。
【００２４】
さらに、支持片３１、３２の両端は、図３に示すように、切断機本体３のモータハウジング１３とインナーケース１７にそれぞれ形成されたガイド面３５ａ、３６ａとガイド面３５ｂ、３６ｂとの間に沿ってガイドされて移動可能に支持されている。したがって、ロックプレート２５は基部側２５ａと先端部２５ｂと支持片３１、３２の両端部の４点でモータハウジング１３とインナーケース１７に支持されている。なお、ロックプレート２５を支持する部材はモータハウジング１３に限定されない。切断機本体３の他の部分であってもよい。
【００２５】
以上の構成のロック機構によれば、図３及び図４に示されるように、通常はバネ３４のバネ力により、出力軸７のカット部２４に対応する位置にはロックプレート２５の円孔２８が位置しているので、出力軸７はロックプレート２５の干渉を受けることなく回転する。
【００２６】
これに対し、切断機を繰り返し使用することにより、のこ刃１を交換する必要があるときは、まず電動モータの回転を停止し、図５のようにロックプレート２５の操作部３０を押し込んでロックプレート２５を係合溝２９が出力軸７のカット部２４に係合可能な位置に移動させる。これにより、カット部２４の平行面は係合溝２９に係合するので、出力軸７は回転できないようにロックされる。したがって、この状態で固定ボルト２０を回転させても最終軸９は共回りしないので、確実に固定ボルト２０を外してのこ刃１を交換することができる。
【００２７】
また、電動モータ２の振動を抑えるために出力軸７がある程度軸方向に移動したり、切断の際に切断機本体３の振動等によってロックプレート２５を傾かせるような力が働いたりしても、ロックプレート２５は基部２５ａと先端部２５ｂと支持片３１、３２の両端部の４点でモータハウジング１３に安定的に支持されているから、ロックプレート２５の傾きは確実に阻止され、ロックプレート２５の一部が冷却ファン１５にぶつかる可能性はほとんどなくなり、円孔２８はベアリング１７の外径よりも大きいからベアリング１７と干渉することがないから、常に円滑な回転を確保することができる。したがってまた、ロックプレート２５を配置するスペースを最小限に抑えることができるから、モータの回転軸方向におけるダウンサイジングを図ることができる。
【符号の説明】
【００２８】
１  のこ刃
３  切断機本体
７  出力軸
２５  ロックプレート
２８  円孔
２９  係合溝
【図１】
2010201600.tif 000003
【図２】
2010201600.tif 000004
【図３】
2010201600.tif 000005
【図４】
2010201600.tif 000006
【図５】
2010201600.tif 000007